(57)【要約】      （修正有）【課題】ドアクローザーに於いて、開けられた扉の角度が設定角度より小さい時に、扉を自動的に閉め、角度が設定角度より大きい時に、扉を任意位置に開いたままの状態を維持することができるヒンジ型ドアクローザー用カム装置を提供する。【解決手段】ヒンジ型ドアクローザーのねじりバネ固定端に使用される自動連結ー分離のカム装置であって、ねじりバネ９の上端は、開閉力調整軸５に固定され、固定ピン１を介して枠側羽根３と連結され、ねじりバネ９の下端はカムスリーブ１０に固定され、カムスリーブ１０はローラー１６を介して扉側羽根４と連結され、開扉角度によってローラー１６が扉側羽根４内壁の溝から着脱することにより、カムスリーブ１０、カムシャフト１１及び扉側羽根４の連接関係を制御する。【選択図】図１
0003227809.tif 000002
【実用新案登録請求の範囲】
【請求項１】
ヒンジ型ドアクローザーのねじりバネ固定端に使用される自動連結ー分離のカム装置であって、
該カム装置は、ローラー（16）はカムスリーブ（10）カムシャフト（11）と扉側羽根（4）の間に取り付けられることを特徴とする、
ヒンジ型ドアクローザー用カム装置。
【請求項２】
請求項１記載のヒンジ型ドアクローザー用カム装置であって、
該ヒンジ型ドアクローザーのねじりバネ固定端に使用される自動連結ー分離のカム装置は、
カムスリーブ（10）はローラー（16）を介して扉側羽根（4）と連結して一体となり、枠側羽根（3）が固定され（枠側羽根がドアフレームに取り付けられる）、扉側羽根（4）がクローザの軸を中心に0°乃至90°の範囲で（つまり、ドアの開く動作状態）回転する。このときにねじりバネ（9）がねじれ変形を発生し、扉側羽根（4）は90°に回すと、ローラー（16）は扉側羽根（4）の内壁の溝から分離する。その同時にローラー（16）はカムシャフト（11）の溝に入ってカムスリーブ（10）とカムシャフト（11）を一体に結合する。この時、扉側羽根（4）は自由状態になり、ねじりバネ（9）は変形がなくなり、ねじれ変形によるトルクが一時的に保持される。扉側羽根（4）が90°乃至180°の範囲で回転し続けると、ローラー（16）が扉側羽根（4）内壁の溝から分離し、扉側羽根（4）は自由状態でねじりバネ（9）の反トルクの影響を受けずに任意の位置で停止できる（扉を任意の位置に停止されることができる）構造であることを特徴とする、
請求項１記載のヒンジ型ドアクローザー用カム装置。
【考案の詳細な説明】
【技術分野】
【０００１】
本考案は、ヒンジ型自動ドアクローザーねじりバネ固定端に使用される自動連結ー分離のカム装置に関するものである。
【背景技術】
【０００２】
従来、ヒンジ型自動ドアクローザーには油圧装置が主に用いられていた。
【先行技術文献】
【特許文献】
【０００３】
【特許文献１】実登第３１７３１０２号公報
【考案の概要】
【考案が解決しようとする課題】
【０００４】
製造が容易でローコストであり、オイル漏れ、取り付け困難、故障しやすい従来品の欠点を改善したヒンジ型自動ドアクローザー用カム装置を提供する。
【課題を解決するための手段】
【０００５】
本考案は、ヒンジ型ドアクローザーのねじりバネ固定端に使用される自動連結ー分離のカム装置であって、該カム装置は、ローラー（16）はカムスリーブ（10）カムシャフト（11）と扉側羽根（4）の間に取り付けられるようにした。
【０００６】
さらに本考案は、該ヒンジ型ドアクローザーのねじりバネ固定端に使用される自動連結ー分離のカム装置を、カムスリーブ（10）はローラー（16）を介して扉側羽根（4）と連結して一体となり、枠側羽根（3）が固定され（枠側羽根がドアフレームに取り付けられる）、扉側羽根（4）がクローザの軸を中心に0°乃至90°の範囲で（つまり、ドアの開く動作状態）回転する。このときにねじりバネ（9）がねじれ変形を発生し、扉側羽根（4）は90°に回すと、ローラー（16）は扉側羽根（4）の内壁の溝から分離する。その同時にローラー（16）はカムシャフト（11）の溝に入ってカムスリーブ（10）とカムシャフト（11）を一体に結合する。この時、扉側羽根（4）は自由状態になり、ねじりバネ（9）は変形がなくなり、ねじれ変形によるトルクが一時的に保持される。扉側羽根（4）が90°乃至180°の範囲で回転し続けると、ローラー（16）が扉側羽根（4）内壁の溝から分離し、扉側羽根（4）は自由状態でねじりバネ（9）の反トルクの影響を受けずに任意の位置で停止できる（扉を任意の位置に停止されることができる）構造とした。
【考案の効果】
【０００７】
本考案のヒンジ型ドアクローザーは、ねじりバネ固定端の自動的に連結ー分離機能持ちのカム装置を採用する。この装置より、開けられた扉の角度が設定角度より小さい時に、扉を自動的に閉め、角度が設定角度より大きい時に、扉を任意位置に開いたままの状態を維持することができる。
【図面の簡単な説明】
【０００８】
【図１】図１は本考案に係るヒンジ型ドアクローザーの主な構成を示す図面である。
【図２】図２は本考案に係るヒンジ型ドアクローザーの動作状態を示す図面である。
【考案を実施するための形態】
【０００９】
本考案は、ヒンジ型ドアクローザーのねじりバネ固定端に使用される自動連結ー分離のカム装置であって、該カム装置は、ローラー（16）はカムスリーブ（10）カムシャフト（11）と扉側羽根（4）の間に取り付けられるようにした。
【００１０】
さらに本考案は、該ヒンジ型ドアクローザーのねじりバネ固定端に使用される自動連結ー分離のカム装置を、カムスリーブ（10）はローラー（16）を介して扉側羽根（4）と連結して一体となり、枠側羽根（3）が固定され（枠側羽根がドアフレームに取り付けられる）、扉側羽根（4）がクローザの軸を中心に0°乃至90°の範囲で（つまり、ドアの開く動作状態）回転する。このときにねじりバネ（9）がねじれ変形を発生し、扉側羽根（4）は90°に回すと、ローラー（16）は扉側羽根（4）の内壁の溝から分離する。その同時にローラー（16）はカムシャフト（11）の溝に入ってカムスリーブ（10）とカムシャフト（11）を一体に結合する。この時、扉側羽根（4）は自由状態になり、ねじりバネ（9）は変形がなくなり、ねじれ変形によるトルクが一時的に保持される。扉側羽根（4）が90°乃至180°の範囲で回転し続けると、ローラー（16）が扉側羽根（4）内壁の溝から分離し、扉側羽根（4）は自由状態でねじりバネ（9）の反トルクの影響を受けずに任意の位置で停止できる（扉を任意の位置に停止されることができる）構造とした。
【００１１】
本考案は、ねじりバネを原動力とするヒンジ型自動ドアクローザー分野に適用する。自動連結ー分離のカム装置は、従来品の複雑な油圧装置を完全に置き換えれる。オイル漏れ、取り付け困難、故障しやすい従来品の欠点を完全に改善した。最も大切なのは、ヒンジ型ドアクローザーはヒンジとドアクローザーを巧妙に結合、両方の機能を融合した。更に、扉の実用的な機能をより一層上に拡充した。
【００１２】
開門する過程でヒンジ型ドアクローザーのねじりバネが設定された0°乃至90°の回転範囲内でねじりバネ自身が保持された反トルクおよびねじれ変形による反トルクを扉側羽根（4）に作用して、ドアを自動的に開閉することができる。そして、90°乃至180°の範囲では、ねじりバネの両端が同時に回転される。この時にねじりバネが保持した反トルクとねじれ変形から生じる新しい反トルクが扉側羽根（4）に作用せずにリリースできる、。すなわち、この時のドア扉はこの範囲で常に自由状態になり、扉を任意位置に開いたままの状態を維持することができる。
【００１３】
この装置は、ねじりバネ（9）の上端は、閉門力調整軸（5）に固定され、固定ピン（1）を介して枠側羽根（3）と連結して一体となる。、ねじりバネ（9）の下端はカムスリーブ（10）に固定され、カムスリーブ（10）はローラー（16）を介して扉側羽根（4）と連結して一体となる。枠側羽根（3）が固定され（枠側羽根がドアフレームに取り付けられる）、扉側羽根（4）クローザの軸を中心に0°乃至90°の範囲で（つまり、ドアの開く動作状態）回転する。このときにねじりバネ（9）がねじれ変形を発生し、扉側羽根（4）は90°に回すと、ローラー（16）は扉側羽根（4）の内壁の溝から分離する。その同時にローラー（16）はカムシャフト（11）の溝に入ってカムスリーブ（10）とカムシャフト（11）を一体に結合する。この時、扉側羽根（4）は自由状態になり、ねじりバネ（9）の変形がなくなり、ねじれ変形によるトルクが一時的に保持された。扉側羽根（4）が90°乃至180°の範囲で回転し続けると、ローラー（16）が扉側羽根（4）内壁の溝から分離し、扉側羽根（4）は自由状態で、ねじりバネ（9）の反トルクの影響を受けずに任意の位置で停止できる（扉を任意の位置に停止されることができる）。
【実施例】
【００１４】
図１は本考案に係るヒンジ型ドアクローザーの主な構成を示す図面である。また、図２は本考案に係るヒンジ型ドアクローザーの動作状態を示す図面である。ねじりバネ（9）の上端は、開閉力調整軸（5）に固定され、固定ピン（1）を介して枠側羽根（3）と連結して一体となる。
【００１５】
ねじりバネ（9）の下端はカムスリーブ（10）に固定され、カムスリーブ（10）はローラー（16）を介して扉側羽根（4）と連結して一体となる。
【００１６】
枠側羽根（3）が固定され（枠側羽根がドアフレームに取り付けられる）、扉側羽根（4）がクローザの軸を中心に0°乃至90°の範囲で（つまり、ドアの開く動作状態）回転する。このときにねじりバネ（9）がねじれ変形を発生し、扉側羽根（4）は90°に回すと、ローラー（16）は扉側羽根（4）の内壁の溝から分離する。その同時にローラー（16）はカムシャフト（11）の溝に入ってカムスリーブ（10）とカムシャフト（11）を一体に結合する。この時、枠側羽根（4）は自由状態になり、ねじりバネ（9）の変形がなくなり、ねじれ変形にから生じるトルクが一時的に保持された。
【００１７】
扉側羽根（4）が90°乃至180°の範囲で回転し続けると、ローラー（16）が扉側羽根（4）内壁の溝から分離し、扉側羽根（4）は自由状態で、ねじりバネ（9）の反トルクの影響を受けずに任意の位置で停止できる（扉を任意の位置に停止されることができる）。
【００１８】
上記のように、このヒンジ型ドアクローザーは2つの作業範囲に分かられている：0°乃至90°の範囲以内に扉を開く動作完了すると、扉はねじりバネ（9）が事前に保持した反トルクと開く動作より増えたねじりバネ（9）変形から生成される反トルクに作用されて、自動的に閉じることができる（自動ドアクローザー機能）。90°乃至180°の範囲では、扉を任意位置に開いたままの状態を維持することができる。
【００１９】
図２に示すように、ヒンジ型自動ドアクローザーはねじりバネ固定端に使用される自動連結ー分離のカム装置では、ねじりバネ（9）の上端は開閉力調整軸（5）に固定され、固定ピン（1）を介して枠側羽根（3）と連結して一体となる。
【００２０】
その下端はカムスリーブ（10）に固定され、カムスリーブ（10）はローラー（16）を介して扉側羽根（4）と連結して一体となる。
【００２１】
扉側羽根（4）は90°以下に回転するとき、扉側羽根（4）は常にねじりバネ（9）の下端と連結する。この時、ねじりバネ（9）が保持した反トルクとねじれ変形から生じる反トルクは常に扉側羽根（4）に作用して、扉閉をじる力になり、扉を開くちからがなくなるため、扉が閉じられる。
【００２２】
扉側羽根（4）は90°乃至180°の範囲で回転するときは、ローラー（16）は扉側羽根（4）の内壁の溝から分離する。と同時にローラー（16）はカムシャフト（11）の溝に入ってカムスリーブ（10）とカムシャフト（11）を結合して一体となるので、扉側羽根（4）は自由状態になる。この為、扉はねじりバネ（9）の反トルクの影響を受けずに任意位置に開いたままの状態を維持することができる。
【産業上の利用可能性】
【００２３】
本考案のヒンジ型ドアクローザーは、ねじりバネ固定端の自動的に連結ー分離機能持ちのカム装置を採用する。この装置より、開けられた扉の角度が設定角度より小さい時に、扉を自動的に閉め、角度が設定角度より大きい時に、扉を任意位置に開いたままの状態を維持することができる。装置全体は、通常の機械加工方法で製作でき、コストダウンに寄与し、産業上の利用可能性は大である。
【符号の説明】
【００２４】
１    固定ピン
３    枠側羽根
４    扉側羽根
５    閉門力調整軸
９    ねじりバネ
１０    カムスリーブ
１１    カムシャフト
１３    カムシャフト１固定ベース
１４    フラットキー
１６    ローラー
【図１】
0003227809.tif 000003
【図２】
0003227809.tif 000004
【手続補正書】
【提出日】令和2年6月22日(2020.6.22)
【手続補正１】
【補正対象書類名】実用新案登録請求の範囲
【補正対象項目名】全文
【補正方法】変更
【補正の内容】
【実用新案登録請求の範囲】
【請求項１】
ヒンジ型ドアクローザーのねじりバネ固定端に使用される自動連結ー分離のカム装置であって、
ねじりバネ（9）の上端は、開閉力調整軸（5）に固定され、固定ピン（1）を介して枠側羽根（3）と連結され、
ねじりバネ（9）の下端はカムスリーブ（10）に固定され、カムスリーブ（10）はローラー（16）を介して扉側羽根（4）と連結され、
開扉角度によってローラー（16）が扉側羽根（4）内壁の溝から着脱することにより、カムスリーブ（10）、カムシャフト（11）及び扉側羽根（4）の連接関係を制御することを特徴とする、
ヒンジ型ドアクローザー用カム装置。
【請求項２】
請求項１記載のヒンジ型ドアクローザー用カム装置であって、
該ヒンジ型ドアクローザーのねじりバネ固定端に使用される自動連結ー分離のカム装置は、
カムスリーブ（10）はローラー（16）を介して扉側羽根（4）と連結して一体となり、
枠側羽根（3）はドアフレームに固定されて取り付けられ、
0°乃至90°の範囲での開扉動作状態において扉側羽根（4）はクローザの軸を中心に0°乃至90°の範囲で回転し、該開扉動作状態においてねじりバネ（9）がねじれ変形を発生し、扉を自動的に閉じることができる構造であり、
開扉角度が90°に達するとローラー（16）が扉側羽根（4）の内壁の溝から分離し、同時にローラー（16）がカムシャフト（11）の溝に入ってカムスリーブ（10）とカムシャフト（11）を一体に結合して、扉側羽根（4）が自由状態になり、ねじりバネ（9）は変形がなくなり、ねじれ変形によるトルクが一時的に保持される状態となり、
更に開扉が90°乃至180°の範囲に及ぶとローラー（16）が扉側羽根（4）内壁の溝から分離し、扉側羽根（4）が自由状態となり、ねじりバネ（9）の反トルクの影響を受けずに任意の位置で停止できる構造であることを特徴とする、
請求項１記載のヒンジ型ドアクローザー用カム装置。